(57)【要約】【課題】検査時におけるファンによる騒音を抑制すること。【解決手段】実施形態に係る医用画像診断装置は、架台装置と、ファンと、取得部と、回転制御部とを備える。前記架台装置は、検査室に設けられている。前記ファンは、前記架台装置内を冷却する。前記取得部は、前記検査室への入退室を表す第１情報を取得する。前記回転制御部は、前記第１情報を用いて、前記検査室に患者が入室したか否かを判定し、前記判定の結果に基づいて、前記ファンの回転を制御する。【選択図】図１
2020199178.tif 000002
【特許請求の範囲】
【請求項１】
検査室に設けられた架台装置と、
前記架台装置内を冷却するファンと、
前記検査室への入退室を表す第１情報を取得する取得部と、
前記第１情報を用いて、前記検査室に患者が入室したか否かを判定し、前記判定の結果に基づいて、前記ファンの回転を制御する回転制御部と、
を備える、医用画像診断装置。
【請求項２】
前記回転制御部は、前記検査室に前記患者が入室したと判定した場合、前記ファンの回転速度を、前記検査室に前記患者が居ないときの回転速度よりも低くする、
請求項１に記載の医用画像診断装置。
【請求項３】
前記回転制御部は、前記取得部が前記第１情報を取得した回数を用いて、前記検査室に患者が入室したか否かを判定する、
請求項１又は２に記載の医用画像診断装置。
【請求項４】
前記取得部は、スキャン計画に関して受け付けた第２情報を更に取得し、
前記回転制御部は、前記第１情報と前記第２情報とを用いて、前記検査室に患者が入室したか否かを判定する、
請求項１又は２に記載の医用画像診断装置。
【請求項５】
前記取得部は、前記第２情報として、検査を開始することを表す検査開始情報を取得し、
前記回転制御部は、前記取得部が前記検査開始情報を取得した後に前記第１情報を取得した場合、前記検査室に前記患者が入室したと判定する、
請求項４に記載の医用画像診断装置。
【請求項６】
前記取得部は、前記第２情報として、検査を終了することを表す検査終了情報を取得し、
前記回転制御部は、前記取得部が前記検査終了情報を取得した場合、前記検査室から前記患者が退室する予定と判定する、又は、前記取得部が前記検査終了情報を取得した後に前記第１情報を取得した場合、前記検査室から前記患者が退室したと判定する、
請求項４に記載の医用画像診断装置。
【請求項７】
前記検査室に設けられた寝台装置、
を更に備え、
前記取得部は、前記寝台装置に加わる重量を表す重量情報を更に取得し、
前記回転制御部は、前記取得部が取得した前記重量情報を更に用いて、前記検査室に前記患者が入室したか否かを判定する、
請求項１〜６のいずれか一項に記載の医用画像診断装置。
【請求項８】
前記取得部は、前記架台装置内の温度を取得し、
前記回転制御部は、前記架台装置内の温度に基づいて、前記ファンの回転を多段階に切り替える、
請求項１〜７のいずれか一項に記載の医用画像診断装置。
【請求項９】
前記架台装置を構成する複数の構成要素のうちの少なくとも１つの構成要素には前記ファンが設けられ、
前記回転制御部は、前記少なくとも１つの構成要素毎に前記ファンの回転を制御する、
請求項１〜８のいずれか一項に記載の医用画像診断装置。
【発明の詳細な説明】
【技術分野】
【０００１】
本発明の実施形態は、医用画像診断装置に関する。
【背景技術】
【０００２】
Ｘ線コンピュータ断層撮影（ＣＴ：Computed  Tomography）装置などの医用画像診断装置では、検査室に設けられた架台装置を用いて被検体（例えば、患者）を撮影する。ここで、Ｘ線ＣＴ装置では、架台装置内の温度が上昇するため、架台装置内を冷却する冷却機構として、例えばファンが用いられる。しかし、ファンは、架台装置内の温度の上昇を抑制する一方、ファンの回転により騒音が発生するため、検査時において患者と検査技師との会話に支障が出る場合がある。
【先行技術文献】
【特許文献】
【０００３】
【特許文献１】特開２０１１−１１０３４１号公報
【特許文献２】特開２００２−２８１５７号公報
【発明の概要】
【発明が解決しようとする課題】
【０００４】
本発明が解決しようとする課題は、検査時におけるファンによる騒音を抑制することである。
【課題を解決するための手段】
【０００５】
実施形態に係る医用画像診断装置は、架台装置と、ファンと、取得部と、回転制御部とを備える。前記架台装置は、検査室に設けられている。前記ファンは、前記架台装置内を冷却する。前記取得部は、前記検査室への入退室を表す第１情報を取得する。前記回転制御部は、前記第１情報を用いて、前記検査室に患者が入室したか否かを判定し、前記判定の結果に基づいて、前記ファンの回転を制御する。
【図面の簡単な説明】
【０００６】
【図１】図１は、第１の実施形態に係るＸ線ＣＴ装置の構成の一例を示す図である。
【図２】図２は、第１の実施形態に係るＸ線ＣＴ装置の設置例を示す図である。
【図３】図３は、第１の実施形態に係るＸ線ＣＴ装置を説明するための図である。
【図４】図４は、第１の実施形態に係るＸ線ＣＴ装置による処理の手順を示すフローチャートである。
【図５】図５は、第２の実施形態に係るＸ線ＣＴ装置による処理を説明するための図である。
【図６】図６は、第２の実施形態に係るＸ線ＣＴ装置による処理の手順を示すフローチャートである。
【図７】図７は、第３の実施形態に係るＸ線ＣＴ装置を説明するための図である。
【図８】図８は、第４の実施形態に係るＸ線ＣＴ装置を説明するための図である。
【図９】図９は、第４の実施形態に係るＸ線ＣＴ装置による処理の手順を示すフローチャートである。
【図１０】図１０は、第５の実施形態に係るＸ線ＣＴ装置を説明するための図である。
【発明を実施するための形態】
【０００７】
以下、図面を参照して、医用画像診断装置の実施形態について詳細に説明する。
【０００８】
（第１の実施形態）
医用画像診断装置は、被検体（例えば、患者）を撮影等することにより検査を実施する装置である。医用画像診断装置は、例えば、Ｘ線診断装置、Ｘ線コンピュータ断層撮影（ＣＴ：Computed  Tomography）装置、磁気共鳴イメージング（ＭＲＩ：Magnetic  Resonance  Imaging）装置、核医学診断装置等を含む。本実施形態では、Ｘ線ＣＴ装置を一例として説明する。
【０００９】
図１は、第１の実施形態に係るＸ線ＣＴ装置１の構成の一例を示す図である。Ｘ線ＣＴ装置１は、被検体のＣＴ画像データを収集する。具体的には、Ｘ線ＣＴ装置１は、被検体を略中心にＸ線管及びＸ線検出器を旋回移動させ、被検体を透過したＸ線を検出して投影データを収集する。そして、Ｘ線ＣＴ装置１は、収集した投影データに基づいて、ＣＴ画像データを生成する。図１に示すように、第１の実施形態に係るＸ線ＣＴ装置１は、架台装置１０と、寝台装置３０と、コンソール装置４０とを有する。
【００１０】
なお、本実施形態では、非チルト状態での回転フレーム１３の回転軸又は寝台装置３０の天板３３の長手方向をＺ軸方向とする。また、Ｚ軸方向に直交し、床面に対し水平である軸方向をＸ軸方向とする。また、Ｚ軸方向に直交し、床面に対し垂直である軸方向をＹ軸方向とする。なお、図１は、説明のために架台装置１０を複数方向から描画したものであり、Ｘ線ＣＴ装置１が架台装置１０を１つ有する場合を示す。
【００１１】
架台装置１０は、Ｘ線管１１と、Ｘ線検出器１２と、回転フレーム１３と、Ｘ線高電圧装置１４と、制御装置１５と、ウェッジ１６と、コリメータ１７と、ＤＡＳ（Data  Acquisition  System）１８とを有する。
【００１２】
Ｘ線管１１は、熱電子を発生する陰極（フィラメント）と、熱電子の衝突を受けてＸ線を発生する陽極（ターゲット）とを有する真空管である。Ｘ線管１１は、Ｘ線高電圧装置１４からの高電圧の印加により、陰極から陽極に向けて熱電子を照射することで、被検体Ｐに対し照射するＸ線を発生する。例えば、Ｘ線管１１には、回転する陽極に熱電子を照射することでＸ線を発生させる回転陽極型のＸ線管がある。
【００１３】
ウェッジ１６は、Ｘ線管１１から照射されたＸ線量を調節するためのフィルタである。具体的には、ウェッジ１６は、Ｘ線管１１から被検体Ｐへ照射されるＸ線が、予め定められた分布になるように、Ｘ線管１１から照射されたＸ線を透過して減衰するフィルタである。例えば、ウェッジ１６は、ウェッジフィルタ（wedge  filter）やボウタイフィルタ（bow-tie  filter）であり、所定のターゲット角度や所定の厚みとなるようにアルミニウム等を加工したフィルタである。
【００１４】
コリメータ１７は、ウェッジ１６を透過したＸ線の照射範囲を絞り込むための鉛板等であり、複数の鉛板等の組み合わせによってスリットを形成する。なお、コリメータ１７は、Ｘ線絞りと呼ばれる場合もある。また、図１においては、Ｘ線管１１とコリメータ１７との間にウェッジ１６が配置される場合を示すが、Ｘ線管１１とウェッジ１６との間にコリメータ１７が配置される場合であってもよい。この場合、ウェッジ１６は、Ｘ線管１１から照射され、コリメータ１７により照射範囲が制限されたＸ線を透過して減衰させる。
【００１５】
Ｘ線検出器１２は、Ｘ線を検出する検出素子を複数有する。Ｘ線検出器１２における各検出素子は、Ｘ線管１１から照射されて被検体Ｐを通過したＸ線を検出し、検出したＸ線量に対応した信号をＤＡＳ１８へと出力する。Ｘ線検出器１２は、例えば、Ｘ線管１１の焦点を中心とした１つの円弧に沿ってチャンネル方向（チャネル方向）に複数の検出素子が配列された複数の検出素子列を有する。Ｘ線検出器１２は、例えば、チャンネル方向に複数の検出素子が配列された検出素子列が列方向（スライス方向、ｒｏｗ方向）に複数配列された構造を有する。
【００１６】
例えば、Ｘ線検出器１２は、グリッドと、シンチレータアレイと、光センサアレイとを有する間接変換型の検出器である。シンチレータアレイは、複数のシンチレータを有する。シンチレータは入射Ｘ線量に応じた光子量の光を出力するシンチレータ結晶を有する。グリッドは、シンチレータアレイのＸ線入射側の面に配置され、散乱Ｘ線を吸収するＸ線遮蔽板を有する。なお、グリッドはコリメータ（１次元コリメータ又は２次元コリメータ）と呼ばれる場合もある。光センサアレイは、シンチレータからの光量に応じた電気信号に変換する機能を有し、例えば、フォトダイオード等の光センサを有する。なお、Ｘ線検出器１２は、入射したＸ線を電気信号に変換する半導体素子を有する直接変換型の検出器であっても構わない。
【００１７】
Ｘ線高電圧装置１４は、変圧器（トランス）及び整流器等の電気回路を有し、Ｘ線管１１に印加する高電圧を発生する高電圧発生装置と、Ｘ線管１１が発生するＸ線に応じた出力電圧の制御を行うＸ線制御装置とを有する。高電圧発生装置は、変圧器方式であってもよいし、インバータ方式であってもよい。なお、Ｘ線高電圧装置１４は、回転フレーム１３に設けられてもよいし、図示しない固定フレームに設けられても構わない。ここで、固定フレームは、回転フレーム１３を回転可能に支持するフレームである。
【００１８】
ＤＡＳ１８は、Ｘ線検出器１２が有する各検出素子によって検出されるＸ線の信号を収集する。例えば、ＤＡＳ１８は、各検出素子から出力される電気信号に対して増幅処理を行う増幅器と、電気信号をデジタル信号に変換するＡ／Ｄ変換器とを有し、検出データを生成する。ＤＡＳ１８は、例えば、プロセッサにより実現される。
【００１９】
回転フレーム１３は、Ｘ線管１１とＸ線検出器１２とを対向支持し、制御装置１５によってＸ線管１１とＸ線検出器１２とを回転させる円環状のフレームである。例えば、回転フレーム１３は、アルミニウムを材料とした鋳物である。なお、回転フレーム１３は、Ｘ線管１１及びＸ線検出器１２に加えて、Ｘ線高電圧装置１４やウェッジ１６、コリメータ１７、ＤＡＳ１８等を更に支持することもできる。更に、回転フレーム１３は、図１において図示しない種々の構成を更に支持することもできる。
【００２０】
なお、ＤＡＳ１８が生成したデータは、回転フレーム１３に設けられた発光ダイオード（Light  Emitting  Diode:  ＬＥＤ）を有する送信機から、光通信によって、架台装置１０の非回転部分（例えば、固定フレーム等であり、図１での図示は省略している）に設けられた、フォトダイオードを有する受信機に送信され、コンソール装置４０へと転送される。なお、回転フレーム１３から架台装置１０の非回転部分へのデータの送信方法は、光通信に限らず、非接触型の如何なるデータ伝送方式を採用してもよいし、接触型のデータ伝送方式を採用しても構わない。
【００２１】
制御装置１５は、ＣＰＵ（Central  Processing  Unit）等を有する処理回路と、モータ及びアクチュエータ等の駆動機構とを有する。制御装置１５は、後述する入力インターフェース４３からの入力信号を受けて、架台装置１０及び寝台装置３０の動作制御を行う。例えば、制御装置１５は、回転フレーム１３の回転や架台装置１０のチルト、寝台装置３０及び天板３３の動作等について制御を行う。一例を挙げると、制御装置１５は、架台装置１０をチルトさせる制御として、入力された傾斜角度（チルト角度）情報により、Ｘ軸方向に平行な軸を中心に回転フレーム１３を回転させる。なお、制御装置１５は架台装置１０に設けられてもよいし、コンソール装置４０に設けられてもよい。
【００２２】
ここで、図１に示すように、例えば、架台装置１０の上部には、図示しない排気口を介してファン５０が設けられている。なお、ファン５０の設置場所は、架台装置１０の上部に限定されない。ファン５０の使用については後述する。
【００２３】
寝台装置３０は、撮影対象の被検体Ｐを載置、移動させる装置であり、基台３１と、寝台駆動装置３２と、天板３３と、支持フレーム３４とを有する。基台３１は、支持フレーム３４を鉛直方向に移動可能に支持する筐体である。寝台駆動装置３２は、被検体Ｐが載置された天板３３を、天板３３の長軸方向に移動する駆動機構であり、モータ及びアクチュエータ等を含む。支持フレーム３４の上面に設けられた天板３３は、被検体Ｐが載置される板である。なお、寝台駆動装置３２は、天板３３に加え、支持フレーム３４を天板３３の長軸方向に移動してもよい。
【００２４】
コンソール装置４０は、メモリ４１と、ディスプレイ４２と、入力インターフェース４３と、処理回路４４とを有する。なお、コンソール装置４０は架台装置１０とは別体として説明するが、架台装置１０にコンソール装置４０又はコンソール装置４０の各構成要素の一部が含まれてもよい。
【００２５】
メモリ４１は、例えば、ＲＡＭ（Random  Access  Memory）、フラッシュメモリ等の半導体メモリ素子、ハードディスク、光ディスク等により実現される。メモリ４１は、例えば、投影データやＣＴ画像データを記憶する。また、例えば、メモリ４１は、Ｘ線ＣＴ装置１に含まれる回路がその機能を実現するためのプログラムを記憶する。なお、メモリ４１は、Ｘ線ＣＴ装置１とネットワークを介して接続されたサーバ群（クラウド）により実現されることとしてもよい。
【００２６】
ディスプレイ４２は、各種の情報を表示する。例えば、ディスプレイ４２は、処理回路４４によって生成された各種の画像を表示したり、操作者から各種の操作を受け付けるためのＧＵＩ（Graphical  User  Interface）を表示したりする。例えば、ディスプレイ４２は、液晶ディスプレイやＣＲＴ（Cathode  Ray  Tube）ディスプレイである。なお、ディスプレイ４２は、架台装置１０に設けられてもよい。また、ディスプレイ４２は、デスクトップ型でもよいし、コンソール装置４０本体と無線通信可能なタブレット端末等で構成されることにしても構わない。
【００２７】
入力インターフェース４３は、操作者から各種の入力操作を受け付けて、受け付けた入力操作を電気信号に変換して処理回路４４に出力する。例えば、入力インターフェース４３は、ＣＴ画像データを再構成する際の再構成条件や、ＣＴ画像データから後処理画像を生成する際の画像処理条件等の入力操作を操作者から受け付ける。例えば、入力インターフェース４３は、マウスやキーボード、トラックボール、スイッチ、ボタン、ジョイスティック、操作面へ触れることで入力操作を行うタッチパッド、表示画面とタッチパッドとが一体化されたタッチスクリーン、光学センサを用いた非接触入力回路、音声入力回路等により実現される。なお、入力インターフェース４３は、架台装置１０に設けられてもよい。また、入力インターフェース４３は、コンソール装置４０本体と無線通信可能なタブレット端末等で構成されることにしても構わない。また、入力インターフェース４３は、マウスやキーボード等の物理的な操作部品を備えるものだけに限られない。例えば、コンソール装置４０とは別体に設けられた外部の入力機器から入力操作に対応する電気信号を受け取り、この電気信号を処理回路４４へ出力する電気信号の処理回路も入力インターフェース４３の例に含まれる。
【００２８】
処理回路４４は、Ｘ線ＣＴ装置１全体の動作を制御する。例えば、処理回路４４は、システム制御機能４４０、スキャン制御機能４４１、前処理機能４４２、再構成処理機能４４３、及び、表示制御機能４４４を実行する。
【００２９】
システム制御機能４４０は、入力インターフェース４３を介して操作者から受け付けた入力操作に基づいて、処理回路４４の各種機能を制御する。
【００３０】
スキャン制御機能４４１は、当該被検体Ｐに対してＸ線を利用したスキャンを実行する。例えば、スキャン制御機能４４１は、入力インターフェース４３を介して操作者から受け付けた入力操作に基づいて、スキャンを制御する。具体的には、スキャン制御機能４４１は、入力操作に基づいて、Ｘ線高電圧装置１４に制御信号を送信することで、高電圧発生装置からの出力電圧を制御する。また、スキャン制御機能４４１は、ＤＡＳ１８に制御信号を送信することで、ＤＡＳ１８によるデータ収集を制御する。
【００３１】
前処理機能４４２は、ＤＡＳ１８から送信されたＸ線検出データに対して前処理を行うことで、前処理を施したデータを生成する。具体的には、前処理機能４４２は、対数変換処理や、オフセット補正、感度補正、ビームハードニング補正等の補正処理を行なうことで、前処理を施したデータを生成する。なお、前処理前のデータ（Ｘ線検出データ）及び前処理後のデータを総称して、投影データと称する場合もある。
【００３２】
再構成処理機能４４３は、前処理機能４４２により生成された投影データを種々の再構成法（例えば、ＦＢＰ（Filtered  Back  Projection）などの逆投影法や、逐次近似法など）によって再構成することでＣＴ画像データを生成する。また、再構成処理機能４４３は、生成したＣＴ画像データをメモリ４１に格納する。
【００３３】
表示制御機能４４４は、処理回路４４によって生成された各種の画像をディスプレイ４２に表示させる。例えば、表示制御機能４４４は、再構成処理機能４４３によって生成されたＣＴ画像データをディスプレイ４２に表示させる。
【００３４】
また、例えば、処理回路４４は、取得機能４４５及び回転制御機能４４６を実行する。取得機能４４５及び回転制御機能４４６の処理については後述する。なお、取得機能４４５は、取得部の一例である。回転制御機能４４６は、回転制御部の一例である。
【００３５】
図１に示すＸ線ＣＴ装置１においては、各処理機能がコンピュータによって実行可能なプログラムの形態でメモリ４１へ記憶されている。処理回路４４は、メモリ４１からプログラムを読み出して実行することで各プログラムに対応する機能を実現するプロセッサである。換言すると、各プログラムを読み出した状態の処理回路４４は、読み出したプログラムに対応する機能を有することとなる。
【００３６】
なお、上記説明において用いた「プロセッサ」という文言は、例えば、ＣＰＵ（Central  Processing  Unit）、ＧＰＵ（Graphics  Processing  Unit）、或いは、特定用途向け集積回路（Application  Specific  Integrated  Circuit：ＡＳＩＣ）、プログラマブル論理デバイス（例えば、単純プログラマブル論理デバイス（Simple  Programmable  Logic  Device：ＳＰＬＤ）、複合プログラマブル論理デバイス（Complex  Programmable  Logic  Device：ＣＰＬＤ）、及びフィールドプログラマブルゲートアレイ（Field  Programmable  GateArray：ＦＰＧＡ））等の回路を意味する。プロセッサは記憶回路に保存されたプログラムを読み出し実行することで機能を実現する。なお、記憶回路にプログラムを保存する代わりに、プロセッサの回路内にプログラムを直接組み込むよう構成しても構わない。この場合、プロセッサは回路内に組み込まれたプログラムを読み出し実行することで機能を実現する。なお、本実施形態の各プロセッサは、プロセッサごとに単一の回路として構成される場合に限らず、複数の独立した回路を組み合わせて１つのプロセッサとして構成し、その機能を実現するようにしてもよい。
【００３７】
以上、本実施形態に係るＸ線ＣＴ装置１の全体構成について説明した。ところで、Ｘ線ＣＴ装置１では、架台装置１０内の温度が上昇するため、架台装置１０内を冷却する冷却機構として、例えば、架台装置１０にはファン５０が用いられる。しかし、ファン５０は、架台装置１０内の温度の上昇を抑制する一方、ファン５０の回転により騒音が発生するため、検査時において患者（被検体Ｐ）と検査技師との会話に支障が出る場合がある。例えば、検査時における会話としては、検査技師が患者に対して患者名を確認する場合や、「頭をつけてください」、「腕を頭のほうに上げてください」、「息を止めてください」などの指示を与える場合などが挙げられる。
【００３８】
そこで、本実施形態に係るＸ線ＣＴ装置１は、検査時におけるファン５０による騒音を抑制するために、以下の処理を実行する。本実施形態に係るＸ線ＣＴ装置１では、架台装置１０と、ファン５０と、取得機能４４５と、回転制御機能４４６とを備える。架台装置１０は、検査室に設けられている。ファン５０は、架台装置１０内を冷却する。取得機能４４５は、検査室への入退室を表す第１情報を取得する。回転制御機能４４６は、第１情報を用いて、検査室に患者が入室したか否かを判定し、判定の結果に基づいて、ファン５０の回転を制御する。
【００３９】
次に、第１の実施形態において、処理回路４４が実行する取得機能４４５、及び、回転制御機能４４６の各機能について説明する。
【００４０】
まず、第１の実施形態において、Ｘ線ＣＴ装置１の設置例について説明する。
【００４１】
図２は、第１の実施形態に係るＸ線ＣＴ装置１の設置例を示す図である。図３は、第１の実施形態に係るＸ線ＣＴ装置１を説明するための図である。例えば、図２に示すように、病院内において、検査室６３には、架台装置１０及び寝台装置３０が設けられている。検査室６３の隣の操作室６５には、コンソール装置４０が設けられ、コンソール装置４０は、検査技師等の操作者により操作される。操作室６５には、操作者が検査室６３と操作室６５とを出入りするためのドア６４と、操作者が操作室６５から検査室６３を一望するための窓６６とが設けられている。検査室６３には、例えば患者が検査室６３への入退室を行うためのドア６２が設けられている。また、図２及び図３に示すように、ドア６２には、ドア６２の開閉を検出するドア開閉検出スイッチ６０が設けられている。
【００４２】
ドア開閉検出スイッチ６０は、ドア６２の開閉を検出し、検出した信号をドア開閉検出信号としてコンソール装置４０に出力する。コンソール装置４０において、取得機能４４５は、ドア開閉検出スイッチ６０から出力されたドア開閉検出信号を取得する。ドア開閉検出信号は、第１情報の一例である。
【００４３】
回転制御機能４４６は、取得機能４４５がドア開閉検出信号を取得した回数を用いて、検査室６３に患者が入室したか否かを判定し、判定の結果に基づいて、ファン５０の回転を制御する。当該回数は、例えば、病院内のルールに基づいて決定される。例えば、病院内のルールとして、当該回数が１回目及び４回目であるときに、回転制御機能４４６は、ファン５０の回転を制御する。
【００４４】
まず、前の検査が終了したときに、ドア６２の開閉により、ファン５０の回転が、低速回転から高速回転に切り替えられているものとする。すなわち、ファン５０の回転速度は、検査室６３に患者が居ないときの回転速度であり、ファン５０の回転により騒音が発生する。
【００４５】
次に、検査を受ける患者、検査技師等の操作者、及び、付添人（例えば、看護師や、患者の配偶者、親など）が、ドア６２を開閉して、検査室６３に入室したものとする。このとき、ドア開閉検出スイッチ６０は、ドア６２の開閉を検出してドア開閉検出信号を出力し、取得機能４４５は、１回目のドア開閉検出信号をドア開閉検出スイッチ６０から取得する。この場合、ファン５０の回転速度が高速回転中であるときに、取得機能４４５が１回目のドア開閉検出信号を取得したため、回転制御機能４４６は、検査室６３に患者が入室したと判定し、ファン５０の回転を、高速回転から低速回転に切り替える。すなわち、回転制御機能４４６は、ファン５０の回転速度を、検査室６３に患者が居ないときの回転速度よりも低くする。
【００４６】
次に、検査を開始する前に、付添人が、ドア６２を開閉して、検査室６３から退室したものとする。このとき、ドア開閉検出スイッチ６０は、ドア６２の開閉を検出してドア開閉検出信号を出力し、取得機能４４５は、２回目のドア開閉検出信号をドア開閉検出スイッチ６０から取得する。この場合、ファン５０の回転速度が低速回転中であるときに、取得機能４４５が２回目のドア開閉検出信号を取得したため、回転制御機能４４６は、検査室６３に患者が居ると判定し、ファン５０の回転を低速回転の状態で維持する。
【００４７】
次に、ファン５０の回転速度が低速回転中であるときに、操作者は、検査室６３内の検査として、撮影処理を行う。具体的には、スキャン制御機能４４１は、入力インターフェース４３を介して操作者から受け付けた入力操作に基づいて、寝台装置３０の寝台駆動装置３２を制御して被検体Ｐを架台装置１０内に送り込み、架台装置１０に対してスキャン制御を行う。
【００４８】
検査が終了した場合、付添人が、ドア６２を開閉して、検査室６３に入室したものとする。このとき、ドア開閉検出スイッチ６０は、ドア６２の開閉を検出してドア開閉検出信号を出力し、取得機能４４５は、３回目のドア開閉検出信号をドア開閉検出スイッチ６０から取得する。この場合でも、ファン５０の回転速度が低速回転中であるときに、取得機能４４５が３回目のドア開閉検出信号を取得したため、回転制御機能４４６は、検査室６３に患者が居ると判定し、ファン５０の回転を低速回転の状態で維持する。
【００４９】
その後、検査を終えた患者、操作者、及び、付添人が、ドア６２を開閉して、検査室６３から退室したものとする。このとき、ドア開閉検出スイッチ６０は、ドア６２の開閉を検出してドア開閉検出信号を出力し、取得機能４４５は、４回目のドア開閉検出信号をドア開閉検出スイッチ６０から取得する。この場合、ファン５０の回転速度が低速回転中であるときに、取得機能４４５が４回目のドア開閉検出信号を取得したため、回転制御機能４４６は、検査室６３から患者が退室したと判定し、ファン５０の回転を、低速回転から高速回転に切り替える。すなわち、回転制御機能４４６は、ファン５０の回転速度を、検査室６３に患者が居ないときの回転速度にする。
【００５０】
図４は、第１の実施形態に係るＸ線ＣＴ装置１による処理の手順を示すフローチャートである。
【００５１】
回転制御機能４４６は、取得機能４４５がドア開閉検出信号を取得したか否かを判定する（ステップＳ１０１）。取得機能４４５がドア開閉検出信号を取得していない場合（ステップＳ１０１；Ｎｏ）、再度、ステップＳ１０１の判定処理を行う。
【００５２】
回転制御機能４４６は、取得機能４４５がドア開閉検出信号を取得した場合（ステップＳ１０１；Ｙｅｓ）、ファン５０の回転速度が高速回転中であるか否かを判定する（ステップＳ１０２）。
【００５３】
ここで、ファン５０の回転速度が高速回転中である場合（ステップＳ１０２；Ｙｅｓ）、回転制御機能４４６は、検査室６３に患者が入室したと判定する（ステップＳ１０３）。すなわち、取得機能４４５が１回目のドア開閉検出信号を取得していて、ファン５０の回転速度が高速回転中である。この場合、回転制御機能４４６は、ファン５０の回転を、高速回転から低速回転に切り替える（ステップＳ１０４）。
【００５４】
一方、ファン５０の回転速度が低速回転中である場合（ステップＳ１０２；Ｎｏ）、回転制御機能４４６は、取得機能４４５がドア開閉検出信号を取得した回数が設定回数であるか否かを判定する（ステップＳ１０５）。設定回数は、例えば、上述した病院内のルールにより、４回とする。
【００５５】
ここで、取得機能４４５がドア開閉検出信号を取得した回数が、設定回数に達していないものとする（ステップＳ１０５；Ｎｏ）。すなわち、当該回数が２回目や３回目であるものとする。この場合、回転制御機能４４６は、ファン５０の回転速度を低速回転に維持したまま、再度、ステップＳ１０１の判定処理を行う。
【００５６】
一方、取得機能４４５がドア開閉検出信号を取得した回数が、設定回数に達したものとする（ステップＳ１０５；Ｙｅｓ）。すなわち、当該回数４回目であるものとする。この場合、回転制御機能４４６は、検査室６３から患者が退室したと判定し（ステップＳ１０６）、ファン５０の回転を、低速回転から高速回転に切り替える（ステップＳ１０７）。
【００５７】
以上、説明したとおり、第１の実施形態に係るＸ線ＣＴ装置１では、取得機能４４５は、検査室６３への入退室を表す第１情報（ドア開閉検出信号）を取得する。回転制御機能４４６は、ドア開閉検出信号を用いて、検査室に患者が入室したか否かを判定する。このとき、回転制御機能４４６は、取得機能４４５がドア開閉検出信号を取得した回数を用いて、検査室６３に患者が入室したか否かを判定する。そして、回転制御機能４４６は、判定の結果に基づいて、ファン５０の回転を制御する。例えば、回転制御機能４４６は、検査室６３に患者が入室したと判定した場合、ファン５０の回転速度を、検査室６３に患者が居ないときの回転速度よりも低くする。このように、第１の実施形態に係るＸ線ＣＴ装置１では、ドア開閉検出信号を取得した回数を用いて、検査室６３に患者が入室したか否かを判定することにより、検査時におけるファン５０による騒音を抑制することができる。
【００５８】
なお、本実施形態の変形例として、取得機能４４５がドア開閉検出信号を取得した回数が１回目及び２回目であるときに、回転制御機能４４６は、ファン５０の回転を制御してもよい。例えば、病院内のルールとして、検査を受ける患者、及び、操作者が、ドア６２を開閉して、検査室６３に入室したとき、ドア開閉検出スイッチ６０は、ドア６２の開閉を検出してドア開閉検出信号を出力し、取得機能４４５は、１回目のドア開閉検出信号をドア開閉検出スイッチ６０から取得する。この場合、取得機能４４５が１回目のドア開閉検出信号を取得したため、回転制御機能４４６は、検査室６３に患者が入室したと判定し、ファン５０の回転を、高速回転から低速回転に切り替える。その後、検査を終えた患者、及び、操作者が、ドア６２を開閉して、検査室６３から退室したとき、ドア開閉検出スイッチ６０は、ドア６２の開閉を検出してドア開閉検出信号を出力し、取得機能４４５は、２回目のドア開閉検出信号をドア開閉検出スイッチ６０から取得する。この場合、取得機能４４５が２回目のドア開閉検出信号を取得したため、回転制御機能４４６は、検査室６３から患者が退室したと判定し、ファン５０の回転を、低速回転から高速回転に切り替える。
【００５９】
なお、本実施形態では、ドア開閉検出スイッチ６０を挙げているが、ドア６２の開閉を検出することができれば、上述のドア開閉検出スイッチ６０に限定されず、例えば、カメラでもよい。例えば、コンソール装置４０において、メモリ４１には、患者の顔画像が登録されていて、取得機能４４５は、カメラにより撮影された患者の顔画像を取得し、回転制御機能４４６は、取得機能４４５が取得した顔画像とメモリ４１に登録された患者の顔画像とを照合することにより、患者による検査室６３への入退室を判定してもよい。すなわち、カメラにより撮影された患者の顔画像に合致する顔画像がメモリ４１に登録されている場合、患者が入退室したと判定する。なお、メモリ４１に登録される画像は、患者の顔画像でなく、施設関係者（医師、技師、看護師）の顔画像でも良い。この場合、取得機能４４５は、カメラにより撮影された患者の顔画像を取得し、回転制御機能４４６は、取得機能４４５が取得した顔画像とメモリ４１に登録された施設関係者の顔画像とを照合することにより、患者による検査室６３への入退室を判定してもよい。すなわち、カメラにより撮影された患者の顔画像に合致する顔画像がメモリ４１に登録されていない場合、患者が入退室したと判定する。
【００６０】
（第２の実施形態）
第２の実施形態では、回転制御機能４４６が、第１情報（ドア開閉検出信号）の他に、スキャン計画に関して受け付けた第２情報を用いて、検査室６３に患者が入室したか否かを判定する。例えば、取得機能４４５が、第２情報として、検査を開始することを表す検査開始情報を取得した後に、ドア開閉検出信号を取得した場合、回転制御機能４４６は、検査室６３に患者が入室したと判定する。取得機能４４５が、第２情報として、検査を終了することを表す検査終了情報を取得した場合、回転制御機能４４６は、検査室６３から患者が退室する予定と判定する。又は、取得機能４４５が検査終了情報を取得した後に、ドア開閉検出信号を取得した場合、回転制御機能４４６は、検査室６３から患者が退室したと判定する。以下では、第２の実施形態では、第１の実施形態とは異なる処理を中心に説明する。
【００６１】
図５は、第２の実施形態に係るＸ線ＣＴ装置１による処理を説明するための図である。
【００６２】
まず、前の検査が終了したときに、ドア６２の開閉により、ファン５０の回転が、低速回転から高速回転に切り替えられているものとする（図５の時間ｔ１）。
【００６３】
次に、取得機能４４５は、検査開始の操作情報を受け付ける。具体的には、検査技師等の操作者は、コンソール装置４０を用いて、検査開始の契機となる入力操作を行う。例えば、操作者は、コンソール装置４０を用いて、次の検査の患者情報を取得するためのボタンを操作する。このとき、取得機能４４５は、当該ボタン操作に応じて、検査開始の操作情報として、次の検査を受ける患者の患者情報を取得する（図５の時間ｔ１０）。取得機能４４５は、取得した患者情報をディスプレイ４２に表示させ、操作者は、取得した患者情報を基に、被検体Ｐ（患者）を撮影するスキャン計画を作成する（図５の時間ｔ１１）。検査開始の操作情報、すなわち、次の検査の患者情報を取得するためのボタン操作を受け付けたという情報は、第２情報としての検査開始情報の一例である。
【００６４】
次に、検査を受ける患者が、ドア６２を開閉して、検査室６３に入室したものとする（図５の時間ｔ１２）。このとき、ドア開閉検出スイッチ６０は、ドア６２の開閉を検出してドア開閉検出信号を出力し、取得機能４４５は、ドア開閉検出信号をドア開閉検出スイッチ６０から取得する。すなわち、取得機能４４５が検査開始の操作の受け付けとして、次の検査の患者情報を取得した後に、取得機能４４５がドア開閉検出信号を取得している。この場合、回転制御機能４４６は、検査室６３に患者が入室したと判定し、ファン５０の回転を、高速回転から低速回転に切り替える。すなわち、回転制御機能４４６は、ファン５０の回転速度を、検査室６３に患者が居ないときの回転速度よりも低くする。
【００６５】
次に、ファン５０の回転速度が低速回転中であるときに、操作者は、検査室６３内の検査として、撮影処理を行う（図５の時間ｔ１３）。具体的には、スキャン制御機能４４１は、寝台装置３０により被検体Ｐが送り込まれた架台装置１０に対して、スキャン制御を行う。例えば、取得機能４４５は、操作者のボタン操作により、撮影処理開始の指示を取得し、スキャン制御機能４４１は、取得機能４４５が受け付けた撮影処理開始の指示に基づいて、架台装置１０の回転フレーム１３を回転させて、撮影処理を行う。
【００６６】
次に、取得機能４４５は、検査終了の操作情報を受け付ける。具体的には、操作者は、コンソール装置４０を用いて、検査終了の契機となる入力操作を行う。例えば、操作者は、コンソール装置４０を用いて、撮影処理終了の指示を取得するためのボタンを操作する。このとき、取得機能４４５は、当該ボタン操作に応じて、検査終了の操作情報として、撮影処理終了の指示を取得する（図５の時間ｔ１４）。スキャン制御機能４４１は、取得機能４４５が取得した撮影処理終了の指示に基づいて、架台装置１０の回転フレーム１３の回転を停止させて、撮影処理を終了する。そして、スキャン制御機能４４１は、寝台装置３０の寝台駆動装置３２を制御することにより、天板３３を元の位置に移動させる。検査終了の操作情報、すなわち、撮影処理終了の指示を行うためのボタン操作を受け付けたという情報は、第２情報としての検査終了情報の一例である。
【００６７】
次に、検査を終えた患者が、ドア６２を開閉して、検査室６３から退室したものとする（図５の時間ｔ１５）。このとき、ドア開閉検出スイッチ６０は、ドア６２の開閉を検出してドア開閉検出信号を出力し、取得機能４４５は、ドア開閉検出信号をドア開閉検出スイッチ６０から取得する。すなわち、回転制御機能４４６は、取得機能４４５が検査終了の操作の受け付けとして、撮影終了の操作情報を取得した後に、取得機能４４５がドア開閉検出信号を取得した場合、検査室６３から患者が退室したと判定する。回転制御機能４４６は、検査室６３から患者が退室したと判定し、ファン５０の回転を、低速回転から高速回転に切り替える。すなわち、回転制御機能４４６は、ファン５０の回転速度を、検査室６３に患者が居ないときの回転速度にする。
【００６８】
図６は、第２の実施形態に係るＸ線ＣＴ装置１による処理の手順を示すフローチャートである。
【００６９】
次に、回転制御機能４４６は、取得機能４４５が検査開始の操作情報を取得したか否かを判定する（ステップＳ２０１）。取得機能４４５が検査開始の操作情報を取得していない場合（ステップＳ２０１；Ｎｏ）、再度、ステップＳ２０１の判定処理を行う。
【００７０】
ここで、取得機能４４５が検査開始の操作情報を取得した場合（ステップＳ２０１；Ｙｅｓ）、回転制御機能４４６は、取得機能４４５がドア開閉検出信号を取得したか否かを判定する（ステップＳ２０２）。取得機能４４５がドア開閉検出信号を取得していない場合（ステップＳ２０２；Ｎｏ）、再度、ステップＳ２０２の判定処理を行う。
【００７１】
回転制御機能４４６は、取得機能４４５がドア開閉検出信号を取得した場合（ステップＳ２０２；Ｙｅｓ）、検査室６３に患者が入室したと判定する（ステップＳ２０３）。すなわち、回転制御機能４４６は、取得機能４４５が検査開始の操作の受け付けとして、次の検査の患者情報を取得した後に、取得機能４４５がドア開閉検出信号を取得した場合、検査室６３に患者が入室したと判定する。
【００７２】
次に、回転制御機能４４６は、検査室６３に患者が入室したと判定した場合、ファン５０の回転を、高速回転から低速回転に切り替える（ステップＳ２０４）。
【００７３】
次に、スキャン制御機能４４１は、上述した撮影処理を行う（ステップＳ２０５）。
【００７４】
ここで、回転制御機能４４６は、取得機能４４５が検査終了の操作情報を取得したか否かを判定する（ステップＳ２０６）。取得機能４４５が検査終了の操作情報を取得していない場合（ステップＳ２０６；Ｎｏ）、再度、ステップＳ２０５の撮影処理を行う。
【００７５】
ここで、取得機能４４５が検査終了の操作情報を取得した場合（ステップＳ２０６；Ｙｅｓ）、回転制御機能４４６は、取得機能４４５がドア開閉検出信号を取得したか否かを判定する（ステップＳ２０７）。取得機能４４５がドア開閉検出信号を取得していない場合（ステップＳ２０７；Ｎｏ）、再度、ステップＳ２０７の判定処理を行う。
【００７６】
回転制御機能４４６は、取得機能４４５がドア開閉検出信号を取得した場合（ステップＳ２０７；Ｙｅｓ）、検査室６３から患者が退室したと判定する（ステップＳ２０８）。すなわち、回転制御機能４４６は、取得機能４４５が検査終了の操作の受け付けとして、撮影終了の操作情報を取得した後に、取得機能４４５がドア開閉検出信号を取得した場合、検査室６３から患者が退室したと判定する。
【００７７】
次に、回転制御機能４４６は、検査室６３から患者が退室したと判定した場合、ファン５０の回転を、低速回転から高速回転に切り替える（ステップＳ２０９）。
【００７８】
なお、本実施形態の変形例として、図５の時間ｔ１４において、取得機能４４５が検査終了の操作情報を取得した場合、回転制御機能４４６は、検査室６３から患者が退室する予定と判定してもよい。すなわち、図５の時間ｔ１４において、回転制御機能４４６は、取得機能４４５が検査終了の操作の受け付けとして、撮影終了の操作情報を取得した場合、検査室６３から患者が退室する予定と判定し、ファン５０の回転を、低速回転から高速回転に切り替える。
【００７９】
以上、説明したとおり、第２の実施形態に係るＸ線ＣＴ装置１では、取得機能４４５は、検査室６３への入退室を表す第１情報（ドア開閉検出信号）を取得する。更に、取得機能４４５は、スキャン計画に関して受け付けた第２情報を取得する。回転制御機能４４６は、取得機能４４５が取得した第１情報と第２情報とを用いて、検査室６３に患者が入室したか否かを判定し、判定の結果に基づいて、ファン５０の回転を制御する。例えば、取得機能４４５が、第２情報として、検査を開始することを表す検査開始情報を取得し、その後に、第１情報を取得した場合、回転制御機能４４６は、検査室６３に患者が入室したと判定する。この場合、回転制御機能４４６は、ファン５０の回転速度を、検査室６３に患者が居ないときの回転速度よりも低くする。取得機能４４５が、第２情報として、検査を終了することを表す検査終了情報を取得した場合、回転制御機能４４６は、検査室６３から患者が退室する予定と判定する。又は、取得機能４４５が、第２情報として、検査終了情報を取得し、その後に、第１情報を取得した場合、回転制御機能４４６は、検査室６３から患者が退室したと判定する。この場合、回転制御機能４４６は、ファン５０の回転速度を、検査室６３に患者が居ないときの回転速度にする。このように、第２の実施形態に係るＸ線ＣＴ装置１では、検査室６３への入退室を表す第１情報と、スキャン計画に関して受け付けた第２情報とを用いて、検査室６３に患者が入室したか否かを判定することにより、検査時におけるファン５０による騒音を抑制することができる。
【００８０】
（第３の実施形態）
第３の実施形態では、回転制御機能４４６が、寝台装置３０に加わる重量を表す情報を更に用いて、検査室６３に患者が入室したか否かを判定する場合について説明する。以下では、第３の実施形態では、第１、第２の実施形態とは異なる処理を中心に説明する。
【００８１】
図８は、第３の実施形態に係るＸ線ＣＴ装置１を説明するための図である。例えば、寝台装置３０の天板３３には、寝台装置３０に加わる重量を検出する重量センサ７０が設けられている。
【００８２】
例えば、患者が検査室６３に入室し、寝台装置３０の天板３３に載置される。重量センサ７０は、ド寝台装置３０に加わる重量を検出し、検出した重量を重量情報としてコンソール装置４０に出力する。コンソール装置４０において、取得機能４４５は、重量センサ７０から出力された重量情報を取得する。
【００８３】
例えば、第１の実施形態において、図４のステップＳ１０３では、回転制御機能４４６は、取得機能４４５が１回目のドア開閉検出信号を取得していて、ファン５０の回転速度が高速回転中である場合であって、取得機能４４５が取得した重量情報が表す重量が設定値以上である場合、検査室６３に患者が入室したと判定する。
【００８４】
例えば、第２の実施形態において、図５のステップＳ２０３では、回転制御機能４４６は、取得機能４４５が検査開始の操作情報の受け付けとして、次の検査の患者情報を取得するためのボタン操作を受け付けた後に、取得機能４４５がドア開閉検出信号を取得した場合であって、取得機能４４５が取得した重量情報が表す重量が設定値以上である場合、検査室６３に患者が入室したと判定する。
【００８５】
以上、説明したとおり、第３の実施形態に係るＸ線ＣＴ装置１では、取得機能４４５は、寝台装置３０に加わる重量を表す重量情報を更に取得する。そして、回転制御機能４４６は、取得機能４４５が取得した重量情報を更に用いて、検査室６３に患者が入室したか否かを判定する。このように、第３の実施形態に係るＸ線ＣＴ装置１では、寝台装置３０に加わる重量を表す重量情報を更に用いることにより、検査室６３に患者が入室したか否かを判定するときの判定精度を高めることができる。
【００８６】
（第４の実施形態）
第４の実施形態では、架台装置１０内の温度に基づいて、ファン５０の回転を多段階に切り替える場合について説明する。以下では、第４の実施形態では、第１〜第３の実施形態とは異なる処理を中心に説明する。
【００８７】
図８は、第４の実施形態に係るＸ線ＣＴ装置１を説明するための図である。例えば、架台装置１０には温度センサ８０が設けられている。温度センサ８０は、架台装置１０内の温度を検出する。ここで、Ｘ線管１１の近傍、Ｘ線高電圧装置１４の近傍、及び、ＤＡＳ１８の近傍についても温度が上昇することがある。このため、例えば、温度センサ８０は、Ｘ線管１１の近傍、Ｘ線高電圧装置１４の近傍、及び、ＤＡＳ１８の近傍のそれぞれに設けられ、Ｘ線管１１の近傍の温度、Ｘ線高電圧装置１４の近傍の温度、及び、ＤＡＳ１８の近傍の温度をそれぞれ検出し、それらの温度の平均値を架台装置１０内の温度として検出してもよい。
【００８８】
図９は、第４の実施形態に係るＸ線ＣＴ装置１による処理の手順を示すフローチャートである。図９に示す処理は、例えば、第１の実施形態において、図４のステップＳ１０４の処理で実行される。また、図９に示す処理は、例えば、第２の実施形態において、図５のステップＳ２０４の処理で実行される。
【００８９】
例えば、温度センサ８０は、対象とする温度として、架台装置１０内の温度を検出する（ステップＳ４０１）。
【００９０】
例えば、回転制御機能４４６は、検査室６３に患者が入室したと判定した場合、ファン５０の回転を、高速回転から低速回転に切り替える前に、対象の温度（架台装置１０内の温度）が設定温度まで下がっているか否かを判定する（ステップＳ４０２）。
【００９１】
ここで、判定の結果、対象の温度が設定温度まで下がっている場合（ステップＳ４０２；Ｙｅｓ）、回転制御機能４４６は、ファン５０の回転を、高速回転から低速回転に切り替える（ステップＳ４０３）。
【００９２】
一方、判定の結果、対象の温度が設定温度まで下がっていない場合（ステップＳ４０２；Ｎｏ）、回転制御機能４４６は、ファン５０の回転を、高速回転から、高速回転と低速回転との間の中速回転に切り替える（ステップＳ４０４）。
【００９３】
このように、第４の実施形態に係るＸ線ＣＴ装置１では、架台装置１０内の温度に基づいて、ファン５０の回転を多段階に切り替えることにより、架台装置１０内の温度を考慮しながら、検査時におけるファン５０による騒音を抑制することができる。
【００９４】
（第５の実施形態）
第５の実施形態では、架台装置１０を構成する複数の構成要素のうちの少なくとも１つの構成要素毎にファンの回転を制御する場合について説明する。以下では、第５の実施形態では、第４の実施形態とは異なる処理を中心に説明する。
【００９５】
図１０は、第５の実施形態に係るＸ線ＣＴ装置１を説明するための図である。例えば、Ｘ線管１１の近傍には、Ｘ線管１１を冷却する冷却機構としてファン５１が設けられている。また、Ｘ線高電圧装置１４の近傍には、Ｘ線高電圧装置１４を冷却する冷却機構としてファン５２が設けられている。また、Ｘ線検出器１２及びＤＡＳ１８の近傍（例えば、図１０ではＤＡＳ１８）には、Ｘ線検出器１２及びＤＡＳ１８を冷却する冷却機構としてファン５３が設けられている。第５の実施形態では、回転制御機能４４６は、ファンの回転を個別に制御する。
【００９６】
ここで、Ｘ線管１１、Ｘ線高電圧装置１４、Ｘ線検出器１２のうち、例えば、Ｘ線検出器１２の冷却を最優先させる場合を例にして説明する。
【００９７】
例えば、回転制御機能４４６は、検査室６３に患者が入室したと判定した場合、ファン５０の回転を、高速回転から低速回転に切り替える前に、対象の温度（架台装置１０内の温度）が設定温度まで下がっているか否かを判定する。
【００９８】
ここで、判定の結果、対象の温度が設定温度まで下がっている場合、回転制御機能４４６は、Ｘ線検出器１２に設けられたファン５３の回転を、高速回転から中速回転に切り替えて、他のファン５０〜５２の回転を、高速回転から低速回転に切り替える。
【００９９】
一方、判定の結果、対象の温度が設定温度まで下がっていない場合、回転制御機能４４６は、Ｘ線検出器１２に設けられたファン５３の回転を高速回転に維持したまま、他のファン５０〜５２の回転を、高速回転から中速回転に切り替える。
【０１００】
このように、第５の実施形態に係るＸ線ＣＴ装置１では、架台装置１０を構成する複数の構成要素のうちの少なくとも１つの構成要素（Ｘ線管１１、Ｘ線高電圧装置１４、ＤＡＳ１８）にそれぞれファン５１〜５３を設けておき、回転制御機能４４６は、少なくとも１つの構成要素（Ｘ線管１１、Ｘ線高電圧装置１４、ＤＡＳ１８）毎にファン（ファン５１〜５３）の回転を制御することにより、検査時において、ファン毎の騒音を抑制することができる。
【０１０１】
（その他の実施形態）
これまで第１〜第５の実施形態について説明したが、上述した第１〜第５の実施形態以外にも、種々の異なる形態にて実施されてよいものである。
【０１０２】
上述した実施形態では、モダリティ装置としてＸ線ＣＴ装置１を例にして説明したが、Ｘ線ＣＴ装置１だけでなく、Ｘ線診断装置、ＭＲＩ装置、核医学診断装置（例えば、ＰＥＴ（Positron  Emission  Tomography）装置）等のモダリティ装置にも適用することができる。
【０１０３】
また、処理回路４４は、ネットワークを介して接続された外部装置のプロセッサを利用して、機能を実現することとしてもよい。例えば、処理回路４４は、メモリ４１から各機能に対応するプログラムを読み出して実行するとともに、Ｘ線ＣＴ装置１とネットワークを介して接続された外部のワークステーションやクラウドを計算資源として利用することにより、図１に示す各機能を実現する。
【０１０４】
上述した実施形態に係る各装置の各構成要素は機能概念的なものであり、必ずしも物理的に図示の如く構成されていることを要しない。即ち、各装置の分散・統合の具体的形態は図示のものに限られず、その全部又は一部を、各種の負荷や使用状況などに応じて、任意の単位で機能的又は物理的に分散・統合して構成することができる。更に、各装置にて行われる各処理機能は、その全部又は任意の一部が、ＣＰＵ及び当該ＣＰＵにて解析実行されるプログラムにて実現され、あるいは、ワイヤードロジックによるハードウェアとして実現されうる。
【０１０５】
また、上述した実施形態で説明した制御方法は、予め用意された制御プログラムをパーソナルコンピュータやワークステーション等のコンピュータで実行することによって実現することができる。この制御プログラムは、インターネット等のネットワークを介して配布することができる。また、この制御プログラムは、ハードディスク、フレキシブルディスク（ＦＤ）、ＣＤ−ＲＯＭ、ＭＯ、ＤＶＤ等のコンピュータで読み取り可能な記録媒体に記録され、コンピュータによって記録媒体から読み出されることによって実行することもできる。
【０１０６】
また、上述した実施形態によるＸ線ＣＴ装置１は、例えば、高精細のＸ線ＣＴ装置（以下、高精細ＣＴ装置と記載する）に適用される。高精細ＣＴ装置では、Ｘ線検出器１２として、０．２５ｍｍ×１６０列の検出素子を体軸方向に配列することにより、従来型のＸ線ＣＴ装置（例えば、０．５ｍｍ×８０列の検出素子）に比べてスライス幅が１／２となり、体軸方向において、従来よりも２倍の空間分解能が得られる。また、高精細ＣＴ装置では、Ｘ線検出器１２として、従来型のＸ線ＣＴ装置の２倍のチャンネル数である１７９２チャンネルの検出素子を面内方向に配列することにより、面内方向において、従来よりも２倍の空間分解能が得られる。ここで、高精細ＣＴ装置は、従来型のＸ線ＣＴ装置より高い空間分解能を有するＸ線検出器１２を搭載することにより、Ｘ線検出器１２により収集される信号が増加する。このため、Ｘ線検出器１２が信号処理を行う処理量が増加し、Ｘ線検出器１２の温度が上昇する。高精細ＣＴ装置では、Ｘ線検出器１２の温度上昇に伴い、架台装置１０内の温度が上昇するため、架台装置１０内を冷却する必要がある。したがって、上述した実施形態によるＸ線ＣＴ装置１は、高精細ＣＴ装置である場合において、特に有効である。
【０１０７】
以上説明した少なくとも１つの実施形態によれば、検査時におけるファンによる騒音を抑制することができる。
【０１０８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１０９】
１  Ｘ線ＣＴ装置
１０  架台装置
５０  ファン
４４５  取得機能
４４６  回転制御機能
【図１】
2020199178.tif 000003
【図２】
2020199178.tif 000004
【図３】
2020199178.tif 000005
【図４】
2020199178.tif 000006
【図５】
2020199178.tif 000007
【図６】
2020199178.tif 000008
【図７】
2020199178.tif 000009
【図８】
2020199178.tif 000010
【図９】
2020199178.tif 000011
【図１０】
2020199178.tif 000012